(57)【要約】   【課題】  本発明は、簡単な構造により、缶の嵌挿、取り出しが容易であり、保冷・保温に優れた保冷・保温ホルダーを提供することを目的とする。  【解決手段】  本発明にかかる保冷・保温ホルダー１００は、断熱素材の有底筒体１１０と、有底筒体１１０の内部に設けられた缶飲料容器の外径と略同一の内径の凹部１２０を備えている。凹部１２０に飲料容器２００を嵌挿して保持しつつ保冷・保温できる。凹部１２０の内壁面の一部に凸部１４０を設けてグリップしやすくしても良い。また、外気と連通する通り道となる連通部を設けても良い。凹部１２０にテーパーを設けることで飲料容器２００が嵌挿しやすくなり、凸部１４０を設けることで飲料容器２００のグリップ力を大きく確保することができる。【選択図】  図４
2013227069.tif 000002
【特許請求の範囲】
【請求項１】
断熱素材の有底筒体と、前記有底筒体の内部に設けられた、缶または瓶の飲料容器の外径と略同一の内径の凹部を備え、当該凹部に飲料容器ごと嵌挿して保持しつつ保冷・保温できることを特徴とする飲料容器の保冷・保温ホルダー。
【請求項２】
前記凹部の内壁面において上方に向かうほどその径が大きくなるテーパーを設け、前記飲料容器の嵌挿を容易とした請求項１に記載の飲料容器の保冷・保温ホルダー。
【請求項３】
前記凹部の内壁面の一部に上下方向にはしる凸部を２本以上設け、前記凸部の高さを前記飲料容器の外壁面に接する高さに調整したものである請求項２に記載の飲料容器の保冷・保温ホルダー。
【請求項４】
前記凸部に、前記凹部の内壁面に設けた前記テーパーとは逆向きのテーパーを設けたことを特徴とする請求項３に記載の飲料容器の保冷・保温ホルダー。
【請求項５】
前記凹部の内壁面の一部に外気と連通する通り道となる連通部を備え、前記連通部を、前記凹部から前記飲料容器の取り出し時において外気圧と前記飲料容器下の前記凹部の内気圧との圧力調整用の通気路としたことを特徴とする請求項１に記載の飲料容器の保冷・保温ホルダー。
【請求項６】
前記連通部が前記凹部の内表面において前記筒体の上端面から下方に設けられた少なくとも１本の溝であり、前記溝を、前記凹部への前記飲料容器の嵌挿時、および、前記凹部から前記飲料容器の取り出し時において、外気圧と前記飲料容器下の前記凹部の内気圧との圧力調整用の通気路としたことを特徴とする請求項５に記載の飲料容器の保冷・保温ホルダー。
【請求項７】
前記溝が前記有底筒体の上端面から前記凹部の底面まで至るものである請求項６に記載の飲料容器の保冷・保温ホルダー。
【請求項８】
前記溝が少なくとも２本設けられ、前記溝同士が前記凹部の底面において連通したものであり、前記溝間で空気が通りやすくなっていることを特徴とする請求項７に記載の飲料容器の保冷・保温ホルダー。
【請求項９】
前記連通部が前記凹部の内壁面底面から前記有底筒体の外壁面底面まで貫通した孔であり、前記孔を、前記凹部への前記飲料容器の嵌挿時、および、前記凹部から前記飲料容器の取り出し時において、外気圧と前記飲料容器下の前記凹部の内気圧との圧力調整用の通気路としたことを特徴とする請求項５乃至８のいずれか１項に記載の飲料容器の保冷・保温ホルダー。
【請求項１０】
前記有底筒体の上端の一部に切り欠きが設けられており、当該切り欠き部分を利用者が口を当てる喫飲箇所として利用可能である請求項１乃至９のいずれか１項に記載の飲料容器の保冷・保温ホルダー。
【発明の詳細な説明】
【技術分野】
【０００１】
本発明は、本発明は、缶ビールや缶ジュースなどの缶飲料容器、または、ペットボトルやガラス瓶などの瓶飲料容器の保冷・保温ホルダーに関するものである。
【背景技術】
【０００２】
従来技術において、冷温状態が好まれるビールやその他の飲料などに用いられている飲料容器用の缶は、殆どが熱伝導率の高いアルミニウム製である。飲料容器用の缶を熱伝導率の高い金属製とすれば冷蔵する際には効率的に冷やすことができるというメリットが得られる。
しかしその反面、冷蔵庫から取り出した後は、室内の空気や缶を持つ手から伝わる熱によって缶内のビールが急速に温まってしまうデメリットがあり、利用者がビールや飲料を飲み終えるまでの間にビールや飲料の味が損なわれてしまうという問題があった。
また、冷たい缶を常温に置くと缶の表面に結露現象が起き、缶の表面に水滴が多数付着するため、この水滴により缶を持つ手が濡れてしまったり、缶を置いているテーブルが濡れてしまったりするという問題もあった。
【０００３】
また、従来技術において、ホット状態が好まれるお茶、コーヒー、紅茶などその他の飲料などに用いられる飲料容器用の缶についても同様に、殆どが熱伝導率の高いアルミニウム製である。飲料容器用の缶を熱伝導率の高い金属製とすれば保温する際には効率的に温めることができるというメリットが得られる。
しかしその反面、保温庫から取り出した後は、室内の空気や缶を持つ手から伝わる熱によって缶内のビールが急速に温まってしまうデメリットがあり、利用者がお茶などの飲料を飲み終えるまでの間に飲料の風合いが損なわれてしまうという問題があった。
【０００４】
そこで、従来技術において、保冷、保温用のホルダーが提案されている。
特開平９−３０１４４７号公報には、図２４（ａ）に示すように、断熱用の紙製缶ホルダーが開示されている。ビール缶など飲料入りの缶の外表に巻き留めする厚紙製のものであり、下方部分を内側に折り曲げることにより缶の底部を支持する構造などについても開示されている。
【０００５】
また、特開２００９−６６２１０号公報には、図２４（ｂ）に示すように、ビール缶など飲料入りの缶の外表に巻き留めする厚紙製の保冷・保温缶ホルダーが開示されている。缶ホルダーを外巻きしやすいように切れ目を入れることなどが開示されている。
【０００６】
【特許文献１】特開平９−３０１４４７号公報
【特許文献２】特開２００９−６６２１０号公報
【発明の開示】
【発明が解決しようとする課題】
【０００７】
しかし、上記従来の厚紙製の保冷・保温缶ホルダーには組み立てる手間が必要となるという問題があった。厚紙製の保冷・保温缶ホルダーを缶の外表面に巻き付ける方法であれば、不使用時には平らでコンパクトにまとめておくことができ、また、缶の径によらず巻き付けることでフィットさせることができるというメリットがあるが、逆に言えば、毎回使用前に缶の外表面に巻き付け、さらに留めるという作業が必要となってしまう。
【０００８】
なお、上記従来の厚紙製の保冷・保温缶ホルダーを予め筒状に形成しておく場合、厚紙製であるため、構造的に脆弱なものであるため保存中に潰れやすくなってしまう。つまり、従来の厚紙製の保冷・保温缶ホルダーは缶の外表面に巻き付けることにより全体として構造的に安定したものとなるが、事前に厚紙を丸めて筒状にしておくと構造的に脆弱なものである。
【０００９】
また、従来の厚紙製の保冷・保温缶ホルダーを予め筒状に形成しておく場合、有底であれば、保冷・保温缶ホルダーに対して缶を嵌挿する際には内部の空気の逃げ場がなく挿入が阻害され、また、缶飲料の飲料後に保冷・保温缶ホルダーから取り出す際には内部の空気の供給路がなく気圧差が解消できずに取り出しにくいという問題が発生する。
【００１０】
発明者嶋崎寛和は、長年にわたり保冷・保温缶ホルダーの研究を行う中、保冷、保温に優れ、保冷・保温缶ホルダーに対して缶を嵌挿する際にもスムーズに挿入でき、保冷・保温缶ホルダーから缶を取り出す際にもスムーズに取り出すことができる保冷・保温缶ホルダーを開発するに至った。
上記問題点に鑑み、本発明は、簡単な構造により、缶の嵌挿、取り出しが容易であり、保冷・保温に優れた保冷・保温ホルダーを提供することを目的とする。
【課題を解決するための手段】
【００１１】
上記目的を達成するため、本発明の缶または瓶の飲料容器用の保冷・保温ホルダーは、断熱素材の有底筒体と、前記有底筒体の内部に設けられた、缶または瓶の飲料容器の外径と略同一の内径の凹部を備え、当該凹部に飲料容器ごと嵌挿して保持しつつ保冷・保温できることを特徴とする飲料容器の保冷・保温ホルダーである。
なお、有底筒体の素材としては発泡スチロールやプラスチックのような断熱素材を採用すれば、保冷・保温効果を高めることができる。
上記構成により、保冷・保温ホルダーは保冷性、保温性に優れ、かつ、構造的に強く、使用者が簡単に用いることができる。
【００１２】
ここで、上記飲料容器の保冷・保温ホルダーにおいて、様々な工夫を施すことができる。
例えば、凹部の内壁面において上方に向かうほどその径が大きくなるテーパーを設け、飲料容器の嵌挿を容易とする工夫がある。
もし、凹部の内径を嵌挿する飲料容器の外径と略同一にしてしまうと、嵌挿するために強い力が必要となったりなかなか嵌挿することができない場合もあり得るが、上方に向かうほどその径が大きくなるテーパーがついておれば上方から飲料容器を嵌挿しやすくなり下方まで無理なく嵌挿することができるようになる。
【００１３】
なお、凹部の内壁面にテーパーを設ける工夫を施す場合、飲料容器に対するグリップ力を高く維持するため、凹部の内壁面の一部に上下方向にはしる凸部を２本以上設け、凸部の高さを飲料容器の外壁面に接する高さとすることが好ましい。
ベースとなる保冷・保温ホルダーの凹部全体は、上記のように、上方に向かうほどその径が大きくなるテーパーを設けて嵌挿しやすくする一方、内壁面には上下方向にはしる凸部を設けてその凸部の表面においてしっかりと飲料容器を挟持するようにすれば、全体としては嵌挿しやすくなる一方、飲料容器のグリップ力は維持することができる。
【００１４】
なお、凸部において、凹部の内壁面に設けたテーパーとは逆向きのテーパーを設けることが好ましい。このようにベースとなる凹部の内壁面のテーパーに対して、凸部のテーパーを逆向きのものとすることにより、凸部の表面は垂直面を形成することとなり、飲料容器の嵌挿がしやすく、かつ、飲料容器のグリップ力を大きく維持することができる。
【００１５】
他の工夫として、前記凹部の内壁面の一部に外気と連通する通り道となる連通部を備え、前記連通部を、前記凹部から前記飲料容器の取り出し時において外気圧と前記飲料容器下の前記凹部の内気圧との圧力調整用の通気路とする工夫がある。
この工夫により、保冷・保温ホルダーの凹部への飲料容器の嵌挿時、および、保冷・保温ホルダーの凹部から飲料容器の取り出し時において、外気圧と凹部の内気圧との圧力調整が可能となりスムーズな嵌挿、取り出しが可能となる。
【００１６】
連通部の一例は、凹部の内表面において前記筒体の上端面から下方に設けられた少なくとも１本の溝である。有底筒体の上端面から凹部の底面まで至るものであることが好ましい。このような溝であれば、凹部への飲料容器の嵌挿時、および、凹部から飲料容器の取り出し時において、外気圧と凹部の内気圧との圧力調整用の通気路とすることができる。
【００１７】
上記構成では、空気の出入りが缶の移動方向とは逆になる。つまり、缶が上から下へ移動する挿入時には、缶の下方にある空気が溝を通って上方向に抜け出てゆく。また、缶が下から上へ移動する取り出し時には、外気が溝を通って上から下へ吸い込まれて行き缶の下の空間に取り込まれる。
【００１８】
また、缶の保冷の場合、溝内の空気は缶の冷気により冷やされるが、凹部内部は底面には孔などは空いていないため、冷気が漏れることはない。
さらに、上記の溝を少なくとも２本設けておき、溝同士が凹部の底面において連通したものであることが好ましい。溝同士が凹部の底面で連通していることにより、複数の溝から空気が出入りすることができる。例えば、１つの溝から空気が内部に入り、他の溝から空気が出るなど、缶の挿入角度、挿入速度、取り出し角度、取り出し速度など多様な条件に応じて、凹部の内圧の調整が自在に行うことが可能となる。
【００１９】
なお、連通部の一つとして、凹部の内壁面底面から有底筒体の外壁面底面まで貫通した孔を除外するものではない。孔を設けておけば凹部への飲料容器の嵌挿時、および、凹部から飲料容器の取り出し時において、外気圧と凹部の内気圧との圧力調整用の通気路とすることができる。
【００２０】
次に、缶を有底筒体内部に入れた場合の飲み口について述べる。有底筒体の凹部の深さは飲料容器の高さとできるだけ略同一である方が保冷、保温効果が高くなるが、飲み口付近まで有底筒体に覆われていると喫飲しづらい。そこで、有底筒体の上端の一部に切り欠きを設け、当該切り欠き部分を利用者が口を当てる喫飲箇所とする。
【発明の効果】
【００２１】
本発明にかかる保冷・保温ホルダーによれば、保冷性、保温性に優れ、かつ、構造的に強く、使用者が簡単に用いることができる。
また、本発明にかかる保冷・保温ホルダーによれば、飲料容器の嵌挿において、凹部に上方に向かうほどその径が大きくなるテーパーを設けることにより飲料容器の嵌挿が容易となり、その一方、上下方向に走る凸部を設けることにより凸部をしっかりと飲料容器の外表面に沿わせることができ、グリップ力を大きく維持することができる。
また、本発明にかかる保冷・保温ホルダーによれば、簡単な構造で凹部への飲料容器の嵌挿時および凹部から飲料容器の取り出し時において、外気圧と凹部の内気圧との圧力調整用の通気路を確保することができ、缶の嵌挿、取り出しが容易である。
有底筒体の素材として発泡スチロールやプラスチックのような断熱素材を採用すれば、保冷・保温効果を高めることができる。
【発明を実施するための最良の形態】
【００２２】
以下、本発明の保冷・保温ホルダーの実施例を説明する。なお、本発明はこれらの実施例に限定されるものではない。
【実施例１】
【００２３】
以下、本発明に係る保冷・保温ホルダーの構成例を、図面を参照しながら説明する。
図１および図２は、実施例１にかかる本発明の保冷・保温ホルダー１００を示す図である。図１は飲料容器が缶飲料容器２００である場合を示し、図２は飲料容器が瓶飲料容器３００である場合を示している。図３は保冷・保温ホルダー１００の内部構造が分かりやすいように縦断面を示すものとなっており、缶飲料容器２００や瓶飲料容器３００を装着した場合の様子を示したものとなっている。
なお、冷たい飲料容器を冷たく保つ保冷も、暖かい飲料容器を温かく保つ保温も同様であるが、特に断らない限り、以下の例では、飲料容器は缶ビールとし、保冷をする例として説明する。また、以下の例では、飲料容器は特に断らない限り缶飲料容器として説明するが、瓶飲料容器の場合も同様である。
【００２４】
図１および図３に示すように、本発明の保冷・保温ホルダー１００は、有底筒体１１０、凹部１２０を備えたものとなっている。
【００２５】
有底筒体１１０は、断熱素材で形成され、この例では持ち手などもなく、ターゲットとなる飲料容器２００よりもやや大きい外径を持ち、その内部に凹部１２０が設けられ、有底であるので底面は閉鎖されている。
【００２６】
凹部１２０は、有底筒体１１０の内部に設けられた内部空間であり、飲料容器２００の外径と略同一の内径を持つものとなっている。この構成例では、高さは飲料容器２００と略同一またはやや小さいものとなっている。
つまり、凹部１２０は飲料容器２００が隙間なく収まるようなサイズになっており、後述する図３に示すように飲料容器２００を嵌挿した状態で保持する空間を提供するものとなる。
【００２７】
図３は、飲料容器を本発明の保冷・保温ホルダー１００に嵌挿した様子を示した図である。
図３に示すように、本発明の保冷・保温ホルダー１００に対して缶飲料容器２００や瓶飲料容器３００を上から挿入して行く。
飲料容器を上から挿入して行くと、図３に示すように、保冷・保温ホルダー１００の凹部１２０の中に嵌挿されてゆく缶飲料容器２００や瓶飲料容器３００の飲料容器の体積分に合わせて凹部１２０内から空気が下から上へ抜け出て、飲料容器２００が凹部１２０の底面まで到達する。
【００２８】
図３に示すように、缶飲料容器２００や瓶飲料容器３００が保冷・保温ホルダー１００の凹部１２０の中に嵌挿されると凹部１２０においてしっかりと保持される。この状態では缶飲料容器２００や瓶飲料容器３００の表面積の多くの部分が外気から遮断され、有底筒体１１０の素材により覆われることとなる。ここでは有底筒体１１０の素材が発泡スチロールなどの断熱素材であるため、飲料容器の外表面に外部から熱が伝導せず、優れた保冷効果が得られることとなる。
【実施例２】
【００２９】
実施例２は、保冷・保温ホルダー１００Ａとして、有底筒体１１０、凹部１２０の内壁面において上下にはしる凸部１４０が設けられている例を説明する。
図４および図５は、実施例２にかかる本発明の保冷・保温ホルダー１００Ａを示す図である。図５は内部構造が分かりやすいように縦断面にて示すものとなっている。
【００３０】
図４および図５に示すように、実施例２の保冷・保温ホルダー１００Ａは、有底筒体１１０ａ、凹部１２０ａ、凸部１４０を備えたものとなっている。
有底筒体１１０ａは、実施例１と同様であるが、内側に設けられている凹部１２０ａが異なっている。
【００３１】
まず、凹部１２０ａについて述べる。
凹部１２０ａは、有底筒体１１０ａの内部に設けられた内部空間であるが、その内壁面にテーパーが設けられている点が異なっている。図５（ｂ）のＬ２−Ｌ２線断面の端面においてハッチングが施されているように、凹部１２０ａの内壁面には上方に向かうほどその径が大きくなるテーパーが設けられている。そのため、後述するように、上方から飲料容器２００を挿入すると上方には余裕があり、嵌挿しやすくなるという効果が得られる。
【００３２】
図６は凹部１２０におけるテーパーの効果を分かりやすく示す図である。
図６（ａ）は、内壁面にテーパーが設けられておらず、飲料容器２００の外径に合致する凹部１２０を備えた保冷・保温ホルダーの場合のである。上方から飲料容器２００を嵌挿してゆくと、図面上ではピタリと嵌挿できるように見えるが実際にはいわゆる“あそび”のマージンがないと容易には嵌挿できない。また、内部にある空気が行き場を失い、飲料容器２００を押し返す反発力を生じるものとなる。
【００３３】
図６（ｂ）は、本実施例２にかかる保冷・保温ホルダー１００Ａの場合である。凹部１２０ａの内壁面には上方に向かうほどその径が大きくなるテーパーが設けられているため、上方から飲料容器２００を押し込むと、いわゆる“あそび”のマージンがあるため容易に嵌挿することができ、飲料容器２００を凹部１２０ａの底面まで容易に押し込むことができる。
【００３４】
このように、凹部１２０ａの内壁面に上方に向かうほどその径が大きくなるテーパーを設けることにより、飲料容器２００の嵌挿が容易になるという効果が得られる。なお、凹部１２０ａの内壁面にテーパーを設けると飲料容器２００との間にいわゆる“あそび”のマージンが確保されるためにそのままでは飲料容器２００に対するグリップ力が低下するおそれがある。そこで、本実施例２では以下に述べる凸部１４０を設けている。
【００３５】
次に、凸部１４０について述べる。
凸部１４０は、凹部１２０ａの内壁面の一部に上下方向にはしる凸状の部分である。つまり、凹部１２０ａの中において内側に出っ張ったものとなり、このでっぱりである凸部１４０により飲料容器２００の外壁面をしっかりグリップするものである。
【００３６】
凸部１４０の本数としては複数本あることが好ましい。この構成例では、図４（ｂ）に示すように、凸部１４０は凸部１４０ａから凸部１４０ｄまで４本設けられている。それぞれの凸部１４０ａから凸部１４０ｄは凹部１２０ａの内壁面に周回状に均等に９０度ずつの間隔で設けられている。
【００３７】
次に、凸部１４０に設けられているテーパーおよび高さについて述べる。
凸部１４０の高さは、飲料容器２００の外壁面に接する高さに調整することが好ましい。この構成例では上記したように、凹部１２０ａにはテーパーが設けられており、飲料容器２００の外壁面との間にマージンが確保されており、上部に近いほどそのマージンは大きく確保され、飲料容器２００との間のグリップ力が小さくなっている。そこで、飲料容器２００の姿勢を安定的に保ち、しっかりとグリップ力を発生させるため、それぞれの凸部１４０に、凹部１２０ａの内壁面に設けたテーパーとは逆向きのテーパーを設ける工夫を施す。
【００３８】
図５（ａ）は、図４（ｂ）中のＬ１−Ｌ１線断面図を示すものであり、凸部１４０の断面を示すものである。図５（ｂ）はＬ２−Ｌ２線断面図を示すものであり、ベースとなる凹部１２０ａの断面を示すものである。図５（ｃ）および図５（ｄ）はＬ３−Ｌ３線断面図を示すものであり、凸部１４０が分かりやすいように図示している。
図５（ａ）において、凸部１４０にはハッチングが施されている。図５（ａ）に示すように、凸部１４０には上に向かうほど太くなるようテーパーが設けられている。
【００３９】
この構成例では、凸部１４０のテーパーは、ちょうど凹部１２０ａの内壁面に設けたテーパーとは逆向きのテーパーとなっており、ベースとなる凹部１２０ａの内壁面の上に凸部１４０が設けられることにより両者のテーパーの傾きがキャンセルし合い、凸部１４０の表面が略垂直になっている。このように、凸部１４０の高さが飲料容器２００の外壁面に接する高さに調整されており、凹部１２０ａに嵌挿された飲料容器２００の姿勢を安定的に保ち、しっかりとグリップ力を発生させることができる。
【００４０】
図７は凸部１４０による飲料容器２００に対するグリップ力について説明する図である。まず、図６に示すようにベースとなる凹部１２０ａには上方に向かうほど径が大きくなるテーパーが設けられているため、基本的には上方から飲料容器２００を容易に嵌挿することができる。ただし、周囲に４か所設けられた凸部１４０のみは、図７に示すように、飲料容器２００の外周壁面に沿う高さに調整されており、いわゆる“あそび”が少なく飲料容器２００にしっかりとグリップするものであることが分かる。いわゆる“あそび”が少ないものの、４本の凸部１４０以外の大きな面積部分を占め、ベースとなっている凹部１２０ａは図６に示すように適度な“あそび”があるため、図７のように凸部１４０が設けられていても基本的には飲料容器２００を凹部１２０内に容易に嵌挿することができる。そして飲料容器２００の嵌挿後は、周囲に均等に配置されている凸部１４０により飲料容器２００が挟持され、しっかりとグリップされる。
【００４１】
発明者である嶋崎寛和は実際に試作品の製作を通じて、本実施例２に示した保冷・保温ホルダー１００Ａの凹部１２０ａの効果および凸部１４０の効果が実際に発揮されることを確認した。
【実施例３】
【００４２】
実施例３は、実施例１と同様であるが、保冷・保温ホルダー１００Ｂとして、有底筒体１１０、凹部１２０、連通部１３０が設けられている例を説明する。
図８および図９は、実施例３にかかる本発明の保冷・保温ホルダー１００Ｂを示す図である。図８は缶タイプの飲料容器２００に対応するもの、図９は瓶タイプの飲料容器２００に対応するものとなっている。図１０は内部構造が分かりやすいようにＬ４−Ｌ４線断面図およびＬ５−Ｌ５断面図となっている。縦断面を示すものとなっており、例として図８の缶飲料容器２００タイプの保冷・保温ホルダー１００Ｂの縦断面を示すものとなっている。
【００４３】
本発明の保冷・保温ホルダー１００Ｂは、有底筒体１１０、凹部１２０、連通部１３０を備えたものとなっている。
有底筒体１１０は、実施例１と同様、断熱素材で形成されたもので良い。
凹部１２０は、実施例１と同様、有底筒体１１０の内部に設けられた内部空間であるが、内部に連通部１３０が設けられている点が異なっている。
【００４４】
連通部１３０は、凹部の内壁面の一部に外気と連通する通り道となるように設けられたものであり、この構成例では、連通部１３０が凹部１２０の内表面において有底筒体１１０の上端面から下方に設けられた溝となっており、凹部１２０の底面まで至るものとなっている。
【００４５】
図１０に示すように、この構成例では、連通部１３０はＬ４−Ｌ４沿いの一側面から底面中央付近にかけて設けられている。
この溝状の連通部１３０は、凹部１２０への飲料容器２００の嵌挿時、および、凹部１２０から飲料容器２００の取り出し時において、外気圧と飲料容器２００下の凹部１２０の内気圧との圧力調整用の通気路とすることができる。
【００４６】
図１１は、飲料容器２００を本発明の保冷・保温ホルダー１００Ｂに嵌挿する様子を示した図である。
図１１（ａ）から図１１（ｂ）に示すように、本発明の保冷・保温ホルダー１００Ｂに対して飲料容器２００を上から挿入して行く。
【００４７】
飲料容器２００を上から挿入して行くと、図１１（ｂ）に示すように、保冷・保温ホルダー１００Ｂの凹部１２０の中に嵌挿され、飲料容器２００の底面にて凹部１２０内部の空気を押し下げることとなる。ここで、凹部１２０内部の空気の抜け道がない場合には、凹部１２０内部の空気圧が上昇し、飲料容器２００の押下に対する抗力として飲料容器２００が押し込みにくくなるが、本発明の保冷・保温ホルダー１００Ｂは、連通部１３０が設けられており、この連通部１３０を介して凹部１２０内部の空気が抜け出て行くことにより、凹部１２０内部の空気圧が外気圧近くに保たれ、飲料容器２００の押下に対する抗力は小さくなり、飲料容器２００が押し込みにくくなるという不具合は起きない。
つまり、図１１に示すように、飲料容器２００の底面にて凹部１２０内部の空気が押し下げられると、逆に、凹部１２０内部の空気は、溝状の連通部１３０を下から上へ抜け出て空気圧が調整されることとなる。
【００４８】
図１１（ｂ）から図１１（ｃ）に示すように、保冷・保温ホルダー１００Ｂの凹部１２０の中に嵌挿されてゆく飲料容器２００の体積分に合わせて凹部１２０内から空気が連通部１３０を介して下から上へ抜け出て、飲料容器２００が凹部１２０の底面まで到達する。
【００４９】
なお、図１１（ｃ）の状態では、飲料容器２００の側面から底面の外表面が保冷・保温ホルダー１００Ｂの有底筒体１１０に囲まれており、この有底筒体１１０の素材が発泡スチロールなどの断熱素材であるため、飲料容器２００の外表面に外部から熱が加わらず、優れた保冷効果が得られることとなる。
また、連通部１３０の溝内の空気は缶の冷気により冷やされるが、凹部１２０内部は底面には孔などは空いていないため、冷気が漏れることはない。
【００５０】
次に、図１２は、飲料容器２００を実施例１にかかる本発明の保冷・保温ホルダー１００Ｂから取り出す様子を示した図である。
図１２（ａ）から図１２（ｂ）に示すように、本発明の保冷・保温ホルダー１００Ｂから飲料容器２００を上に引き抜いて行く。
飲料容器２００を上に引き抜いて行くと、図１２（ｂ）に示すように、保冷・保温ホルダー１００Ｂの凹部１２０の中から相対的に上昇してゆき、飲料容器２００の底面の下の空間が拡張されていく。
【００５１】
ここで、凹部１２０内部への空気の供給路がない場合には、凹部１２０内部の空気圧が下降し、飲料容器２００の上昇に対向する引力として飲料容器２００が引き抜きにくくなるが、本発明の保冷・保温ホルダー１００Ｂは、連通部１３０が空気の供給路として設けられており、この連通部１３０を介して凹部１２０内部へ空気が供給されて行くことにより、凹部１２０内部の空気圧が外気圧近くに保たれ、飲料容器２００の引き抜きに対する抗力は小さくなり、飲料容器２００が取り出しにくくなるという不具合は起きない。
【００５２】
つまり、図１２に示すように、飲料容器２００の底面にて凹部１２０内部空間が拡張されると、外気が溝状の連通部１３０を介して凹部１２０内部に引き込まれ、空気圧が調整されることとなる。
図１２（ｂ）から図１２（ｃ）に示すように、保冷・保温ホルダー１００Ｂの凹部１２０から取り出される飲料容器２００の体積分に合わせて凹部１２０内へ空気が連通部１３０を介して供給されることとなる。
【実施例４】
【００５３】
実施例４は、溝状の連通部１３０が複数本設けられている例を説明する。
図１３および図１４は、実施例４にかかる本発明の保冷・保温ホルダー１００Ｃを示す図である。図１４はＬ６−Ｌ６線断面図およびＬ７−Ｌ７線断面図となっている。特に断らない限り、以下の例では、飲料容器は缶飲料容器２００とし、保冷をする例として説明する。
【００５４】
図１３および図１４に示すように、本発明の保冷・保温ホルダー１００Ｃは、有底筒体１１０、凹部１２０、連通部１３０を備えたものとなっているが、連通部１３０が２つ設けられた例となっており、それぞれ連通部１３０ａ、連通部１３０ｂとなっている。
【００５５】
有底筒体１１０は、実施例１と同様、断熱素材で形成されたもので良い。
凹部１２０は、実施例１と同様、有底筒体１１０の内部に設けられた内部空間であるが、内部に連通部１３０が複数本設けられている点が異なっている。
【００５６】
連通部１３０ａ，連通部１３０ｂは、実施例３と同様、それぞれ、凹部の内壁面の一部に外気と連通する通り道となるように設けられたものであり、この構成例では、凹部１２０の内表面において有底筒体１１０の上端面から凹部１２０の底面まで至るものとなっており、溝同士が凹部の底面において連通したものとなっている。連通部１３０ａと連通部１３０ｂの溝間で空気を通りやすくする工夫が施されている。
なお、図１４に示した構成例では、２本の連通部１３０がそれぞれＬ６−Ｌ６沿いの一方の側面から底面中央付近まで、および、他方の側面から底面中央付近までにかけて設けられており、１つながりになっている。
【００５７】
図１５は、飲料容器２００を本発明の保冷・保温ホルダー１００Ｃに嵌挿する様子を示した図である。
図１５（ａ）から図１５（ｂ）に示すように、本発明の保冷・保温ホルダー１００Ｃに対して飲料容器２００を上から挿入して行く。
【００５８】
飲料容器２００を上から挿入して行くと、図１５（ｂ）に示すように、保冷・保温ホルダー１００の凹部１２０の中に嵌挿され、飲料容器２００の底面にて凹部１２０内部の空気を押し下げることとなる。ここで、実施例３と同様、連通部１３０ａ、連通部１３０ｂが設けられており、この連通部１３０ａ，連通部１３０ｂを介して凹部１２０内部の空気が抜け出て行くが、この連通部１３０ａ，連通部１３０ｂの溝同士が凹部１２０の底面で連通していることにより、複数の連通部１３０ａ，連通部１３０ｂを介して自在な通り道にて空気が出入りすることができる。例えば、連通部１３０ａの溝から空気が内部に入り、連通部１３０ｂの溝から空気が出るなど、空気の抜ける方向が自在に変化し、凹部１２０の内圧の調整を自在に行うことが可能となる。
【００５９】
ここで、本発明の保冷・保温ホルダー１００Ｃに対する飲料容器２００の挿入角度、挿入速度、取り出し角度、取り出し速度などは多様な条件であり、必ずしも均一な角度、速度で挿入するわけではない。その微妙な挿入角度、挿入速度の変化において、複数の連通部１３０ａの空気が抜ける量と，連通部１３０ｂの空気が抜ける量の割合が等量でなくとも良く、その条件でもっとも適切な空気の抜け方が実現できる。
【００６０】
この例では、図１５に示すように、飲料容器２００の底面にて凹部１２０内部の空気が押し下げられると、逆に、凹部１２０内部の空気は、溝状の連通部１３０ａ，連通部１３０ｂを介して下から上へ抜け出て空気圧が調整されることとなる。
【００６１】
図１５（ｂ）から図１５（ｃ）に示すように、保冷・保温ホルダー１００の凹部１２０の中に嵌挿されてゆく飲料容器２００の体積分に合わせて凹部１２０内から空気が連通部１３０を介して下から上へ抜け出て、飲料容器２００が凹部１２０の底面まで到達する。
【００６２】
次に、図１６は、飲料容器２００を本発明の保冷・保温ホルダー１００Ｃから取り出す様子を示した図である。
実施例３の図１２と同様、図１６（ａ）から図１６（ｂ）に示すように、本発明の保冷・保温ホルダー１００Ｃから飲料容器２００を上に引き抜いて行くと、飲料容器２００の底面の下の空間が拡張されていく。本発明の保冷・保温ホルダー１００Ｃは、連通部１３０ａ，連通部１３０ｂが空気の供給路として設けられており、この連通部１３０ａ，連通部１３０ｂを介して凹部１２０内部へ空気が供給されて行くことにより、凹部１２０内部の空気圧が外気圧近くに保たれ、飲料容器２００の引き抜きに対する抗力は小さくなり、飲料容器２００が取り出しにくくなるという不具合は起きない。
【実施例５】
【００６３】
実施例５は、実施例３と同様であるが、有底筒体１１０の底面にも連通部１３０ｃとして孔を設け、連通部１３０を介した空気の流れをさらに工夫した例である。
図１７および図１８は、実施例５にかかる本発明の保冷・保温ホルダー１００Ｄを示す図である。図１８はＬ８−Ｌ８線断面図およびＬ９−Ｌ９線断面図となっている。特に断らない限り、以下の例では、缶飲料は缶ビールとし、保冷をする例として説明する。
【００６４】
図１７および図１８に示すように、本発明の保冷・保温ホルダー１００Ｄは、有底筒体１１０、凹部１２０、連通部１３０を備えたものとなっているが、連通部１３０が２つ設けられた例となっており、１つは実施例１と同様、凹部１２０の上端面から底面までの溝状の連通部１３０ａであり、もう一つは、有底筒体１１０の底面に設けられた孔である連通部１３０ｃとなっている。
【００６５】
有底筒体１１０は、実施例３と同様、断熱素材で形成されたもので良い。この例では中央部分に孔である連通部１３０ｃが設けられており、本発明の保冷・保温ホルダー１００Ｄの底面外部と、凹部１２０の内部とを連通するものとなっている。また、底面の連通部１３０ａの溝を介して連通したものとなっている。
【００６６】
凹部１２０は、実施例１と同様、有底筒体１１０の内部に設けられた内部空間であるが、内部において、側壁面から底面にかけて設けられた連通部１３０ａと底面に穿たれた孔である連通部１３０ｃが設けられている点が異なっている。
【００６７】
連通部１３０ａは、実施例１と同様、凹部１２０の内表面において有底筒体１１０の上端面から凹部１２０の底面まで至るものとなっている。連通部１３０ｃは、凹部の底面において設けられた孔であり、有底筒体１１０の底面下の外気と連通したものとなっている。
【００６８】
図１９は、飲料容器２００を本発明の保冷・保温ホルダー１００Ｄに嵌挿する様子を示した図である。
図１９（ａ）から図１９（ｂ）に示すように、本発明の保冷・保温ホルダー１００Ｄに対して飲料容器２００を上から挿入して行く。
【００６９】
飲料容器２００を上から挿入して行くと、図１９（ｂ）に示すように、保冷・保温ホルダー１００Ｄの凹部１２０の中に嵌挿され、飲料容器２００の底面にて凹部１２０内部の空気を押し下げることとなる。ここで、実施例３と同様、連通部１３０ａが設けられており、さらに底面に連通部１３０ｃが設けられており、凹部１２０内の空気が連通部１３０ａと連通部１３０ｃの両方から自在な通り道にて空気が出入りすることができる。例えば、本発明の保冷・保温ホルダー１００Ｄを机などのフラットな構造物の上に載せ置いたまま飲料容器２００を押し込めば、底部に設けられた連通部１３０ｃから抜ける空気量が少なくなったとしても、連通部１３０ａを介して下から上に空気が抜けることができる。また、利用者が本発明の保冷・保温ホルダー１００Ｄを持ち、飲料容器２００を押し込めば、底部に設けられた連通部１３０ｃから抜ける空気量が比較的多くなるが、連通部１３０ａからも下から上に空気が抜けることができる。
【００７０】
このように、本発明の保冷・保温ホルダー１００Ｄに対する飲料容器２００の挿入角度、挿入速度、取り出し角度、取り出し速度、利用者が手で持つ、机に載せ置くなど多様な条件であり、必ずしも一定条件で挿入するわけではない。その微妙な挿入角度、挿入速度、利用者の把持の有無の変化において、複数の連通部１３０ａの空気が抜け方と，連通部１３０ｃの空気が抜ける空気の抜け方が実現できる。
【００７１】
この例では、図１９に示すように、飲料容器２００の底面にて凹部１２０内部の空気が押し下げられると、凹部１２０内部の空気は、溝状の連通部１３０ａを介して下から上へ抜け出るとともに連通部１３０ｃから有底筒体１１０の底面外へ空気が抜け出ることにより、凹部１２０内の空気圧が調整されることとなる。
【００７２】
このように、図１９（ｂ）から図１９（ｃ）に示すように、保冷・保温ホルダー１００の凹部１２０の中に嵌挿されてゆく飲料容器２００の体積分に合わせて凹部１２０内から空気が連通部１３０を介して下から上へ抜け出て、飲料容器２００が凹部１２０の底面まで到達する。
【００７３】
次に、図２０は、飲料容器２００を本発明の保冷・保温ホルダー１００Ｄから取り出す様子を示した図である。
実施例３の図１２と同様、図２０（ａ）から図２０（ｂ）に示すように、本発明の保冷・保温ホルダー１００Ｄから飲料容器２００を上に引き抜いて行くと、飲料容器２００の底面の下の空間が拡張されていく。本発明の保冷・保温ホルダー１００Ｄは連通部１３０ａに加え、凹部１２０の底面に開けられた孔である連通部１３０ｃが空気の供給路として設けられており、この連通部１３０ａ，連通部１３０ｃを介して凹部１２０内部へ空気が供給されて行くことにより、凹部１２０内部の空気圧が外気圧近くに保たれ、飲料容器２００の引き抜きに対する抗力は小さくなり、飲料容器２００が取り出しにくくなるという不具合は起きない。
【００７４】
図２０に示すように、凹部１２０内部に対して有底筒体１１０の底面に開けられた孔である連通部１３０ｃを介して底面側から外気が取り込まれると同時に、有底筒体１１０の凹部の側壁面に設けられた溝である連通部１３０ａを介して上面側から凹部の内部へ外気が取り込まれ、凹部１２０内部の気圧が調整され、飲料容器２００をスムーズに取り出すことができる。
【実施例６】
【００７５】
実施例６は、実施例１や実施例３と同様であるが、有底筒体の上端の一部に利用者が口をつけて飲みやすいように一部に切り欠き１１１を設けた例である。
図２１および図２２は、実施例６にかかる本発明の保冷・保温ホルダー１００Ｅを示す図である。図２２はＬ１０−Ｌ１０線断面図およびＬ１１−Ｌ１１線断面図となっている。特に断らない限り、以下の例では、缶飲料は缶ビールとし、保冷をする例として説明する。
【００７６】
図２１および図２２に示すように、本発明の保冷・保温ホルダー１００Ｅは、有底筒体１１０ｄ、凹部１２０、連通部１３０を備えたものとなっているが、有底筒体１１０ｄは切り欠き１１１を備えた例となっている。
【００７７】
有底筒体１１０ｄは、実施例１と同様、断熱素材で形成されたもので良く、概形も実施例１と同様、有底の寸胴の筒体であるが、上端部の一部に切り欠き１１１が設けられている。
【００７８】
凹部１２０の深さが飲料容器２００の高さと略同一またはやや低いものであり、保冷効果、保温効果を鑑みれば、飲料容器２００の側面をできるだけ断熱材で覆う方が良い。しかし、一律の高さで覆ってしまうと有底筒体１１０ｄの上端面の位置が高くなり、利用者が本発明の保冷・保温ホルダー１００Ｅを用いて飲料容器２００を飲もうとした場合に邪魔してしまう結果となる。そこで、切り欠き１１１を設け、口が当たる部分の有底筒体１１０ｄの上端面が低くなり、喫飲時に邪魔とならない。
【００７９】
凹部１２０、連通部１３０は、実施例３と同様で良い。
また、飲料容器２００を本発明の保冷・保温ホルダー１００Ｅに嵌挿する様子は図３、図１１、図１５、図１９などと同様で良い。
【００８０】
図２３（ａ）は、実施例６にかかる本発明の保冷・保温ホルダー１００Ｅに対して飲料容器２００を嵌挿した状態を示す図である。図２３（ａ）に示すように、本発明の保冷・保温ホルダー１００Ｅに対して飲料容器２００を嵌挿すれば、缶飲料容器２００の底面から側面付近は有底筒体１１０の壁面で覆われてしまっているため、口が当たる部分にも有底筒体１１０の壁面があれば、利用者が喫飲する際には邪魔になってしまう。
そこで、口が当たる部分の有底筒体１１０ｄの上端面部分には切り欠き１１１が設けられている。
【００８１】
図２３（ｂ）に示すように、口が当たる部分の有底筒体１１０ｄの上端面部分には切り欠き１１１があれば、喫飲時に有底筒体１１０ｄが邪魔となることなく、飲料容器２００の開口部に直接口をつけることができる。
【００８２】
以上、本発明の保冷・保温ホルダーの構成例における好ましい実施形態を図示して説明してきたが、本発明の技術的範囲を逸脱することなく種々の変更が可能であることは理解されるであろう。
【産業上の利用可能性】
【００８３】
本発明の保冷・保温ホルダーは、缶ビールや缶ジュースなどの缶飲料容器の保冷・保温ホルダーとして広く適用することができる。
【図面の簡単な説明】
【００８４】
【図１】実施例１にかかる本発明の保冷・保温ホルダー１００（缶飲料容器用）の外観を示す図である。
【図２】実施例１にかかる本発明の保冷・保温ホルダー１００（瓶飲料容器用）の外観を示す図である。
【図３】実施例１にかかる本発明の保冷・保温ホルダー１００に対して飲料容器２００、瓶飲料容器３００をそれぞれ嵌挿する様子を示した図である。
【図８】実施例３にかかる本発明の保冷・保温ホルダー１００Ｂ（缶飲料容器用）の外観を示す図である。
【図９】実施例３にかかる本発明の保冷・保温ホルダー１００Ｂ（瓶飲料容器用）の外観を示す図である。
【図１０】実施例３にかかる本発明の保冷・保温ホルダー１００Ｂの縦断面を示す図である。
【図１１】実施例３にかかる本発明の保冷・保温ホルダー１００Ｂに対して飲料容器２００を嵌挿する様子を示した図である。
【図１２】実施例３にかかる本発明の保冷・保温ホルダー１００Ｂから飲料容器２００を取り出す様子を示した図である。
【図１３】実施例４にかかる本発明の保冷・保温ホルダー１００Ｃの外観を示す図である。
【図１４】実施例４にかかる本発明の保冷・保温ホルダー１００Ｃの縦断面を示す図である。
【図１５】実施例４にかかる本発明の保冷・保温ホルダー１００Ｃに対して飲料容器２００を嵌挿する様子を示した図である。
【図１６】実施例４にかかる本発明の保冷・保温ホルダー１００Ｃから飲料容器２００を取り出す様子を示した図である。
【図１７】実施例５にかかる本発明の保冷・保温ホルダー１００Ｄの外観を示す図である。
【図１８】実施例５にかかる本発明の保冷・保温ホルダー１００Ｄの縦断面を示す図である。
【図１９】実施例５にかかる本発明の保冷・保温ホルダー１００Ｄに対して飲料容器２００を嵌挿する様子を示した図である。
【図２０】実施例５にかかる本発明の保冷・保温ホルダー１００Ｄから飲料容器２００を取り出す様子を示した図である。
【図２１】実施例６にかかる本発明の保冷・保温ホルダー１００Ｅの外観を示す図である。
【図２２】実施例６にかかる本発明の保冷・保温ホルダー１００Ｅの縦断面を示す図である。
【図２３】実施例６にかかる本発明の保冷・保温ホルダー１００Ｅに対して飲料容器２００を嵌挿した状態を示す図である。
【図２４】特開平９−３０１４４７号および特開２００９−６６２１０号に開示された保冷・保温ホルダーの例を簡単に示す図である。
【符号の説明】
【００８５】
１００  保冷・保温ホルダー
１１０  有底筒体
１１１  切り欠き
１２０  凹部
１３０  連通部
１４０  凸部
２００  缶飲料容器
【図１】
2013227069.tif 000003
【図２】
2013227069.tif 000004
【図３】
2013227069.tif 000005
【図４】
2013227069.tif 000006
【図５】
2013227069.tif 000007
【図６】
2013227069.tif 000008
【図７】
2013227069.tif 000009
【図８】
2013227069.tif 000010
【図９】
2013227069.tif 000011
【図１０】
2013227069.tif 000012
【図１１】
2013227069.tif 000013
【図１２】
2013227069.tif 000014
【図１３】
2013227069.tif 000015
【図１４】
2013227069.tif 000016
【図１５】
2013227069.tif 000017
【図１６】
2013227069.tif 000018
【図１７】
2013227069.tif 000019
【図１８】
2013227069.tif 000020
【図１９】
2013227069.tif 000021
【図２０】
2013227069.tif 000022
【図２１】
2013227069.tif 000023
【図２２】
2013227069.tif 000024
【図２３】
2013227069.tif 000025
【図２４】
2013227069.tif 000026
【手続補正書】
【提出日】平成25年1月17日(2013.1.17)
【手続補正１】
【補正対象書類名】明細書
【補正対象項目名】００８４
【補正方法】変更
【補正の内容】
【００８４】
【図１】実施例１にかかる本発明の保冷・保温ホルダー１００（缶飲料容器用）の外観を示す図である。
【図２】実施例１にかかる本発明の保冷・保温ホルダー１００（瓶飲料容器用）の外観を示す図である。
【図３】実施例１にかかる本発明の保冷・保温ホルダー１００に対して飲料容器２００、瓶飲料容器３００をそれぞれ嵌挿する様子を示した図である。
【図４】実施例２にかかる本発明の保冷・保温ホルダー１００Ａを示す図である。
【図５】実施例２にかかる本発明の保冷・保温ホルダー１００Ａを縦断面にて示す図である。
【図６】凹部１２０におけるテーパーの効果を分かりやすく示す図である。
【図７】凸部１４０による飲料容器２００に対するグリップ力について説明する図である。
【図８】実施例３にかかる本発明の保冷・保温ホルダー１００Ｂ（缶飲料容器用）の外観を示す図である。
【図９】実施例３にかかる本発明の保冷・保温ホルダー１００Ｂ（瓶飲料容器用）の外観を示す図である。
【図１０】実施例３にかかる本発明の保冷・保温ホルダー１００Ｂの縦断面を示す図である。
【図１１】実施例３にかかる本発明の保冷・保温ホルダー１００Ｂに対して飲料容器２００を嵌挿する様子を示した図である。
【図１２】実施例３にかかる本発明の保冷・保温ホルダー１００Ｂから飲料容器２００を取り出す様子を示した図である。
【図１３】実施例４にかかる本発明の保冷・保温ホルダー１００Ｃの外観を示す図である。
【図１４】実施例４にかかる本発明の保冷・保温ホルダー１００Ｃの縦断面を示す図である。
【図１５】実施例４にかかる本発明の保冷・保温ホルダー１００Ｃに対して飲料容器２００を嵌挿する様子を示した図である。
【図１６】実施例４にかかる本発明の保冷・保温ホルダー１００Ｃから飲料容器２００を取り出す様子を示した図である。
【図１７】実施例５にかかる本発明の保冷・保温ホルダー１００Ｄの外観を示す図である。
【図１８】実施例５にかかる本発明の保冷・保温ホルダー１００Ｄの縦断面を示す図である。
【図１９】実施例５にかかる本発明の保冷・保温ホルダー１００Ｄに対して飲料容器２００を嵌挿する様子を示した図である。
【図２０】実施例５にかかる本発明の保冷・保温ホルダー１００Ｄから飲料容器２００を取り出す様子を示した図である。
【図２１】実施例６にかかる本発明の保冷・保温ホルダー１００Ｅの外観を示す図である。
【図２２】実施例６にかかる本発明の保冷・保温ホルダー１００Ｅの縦断面を示す図である。
【図２３】実施例６にかかる本発明の保冷・保温ホルダー１００Ｅに対して飲料容器２００を嵌挿した状態を示す図である。
【図２４】特開平９−３０１４４７号および特開２００９−６６２１０号に開示された保冷・保温ホルダーの例を簡単に示す図である。